(57)【要約】【課題】本発明は浴室装置の壁面に鏡を直接取り付ける構成に関し、金属製の小さな金具で鏡を取り付けると見栄えが悪く、金具を大きくしたり、カバーを設けると鏡下端部に水が溜まり鏡裏面の腐食が発生しやすいことを課題とするものである。【解決手段】鏡１１の下部を鏡受け金具１５で固定し、下カバー１３にて覆い、上部を鏡押さえ金具２１にて固定し、上カバー１４にて覆い、下カバー１３の下面部に排水孔２０を設け、鏡１１の下端面と下カバー１３の間に空間部１９ａを形成するよう設ける構成としてある。従って鏡の取り付け強度が確保でき安心して使え、カバーにより見栄えがよくなり、鏡裏面の腐食の発生をを押さえることができるという効果がある。【選択図】　図２
2004041287.tif 000002
【特許請求の範囲】
【請求項１】
浴室の壁面に取り付けて使用する鏡と前記鏡の下部を支えて前記浴室の壁面に固定する鏡受け金具と、前記鏡の上部を前記浴室の壁面に押さえて固定する鏡押さえ金具と、前記鏡の上部と前記鏡押さえ金具を覆う上カバーと、前記鏡の下部と前記鏡受け金具を覆い、下面部に排水孔を有し、前記鏡の下端面との間に空間部を形成するよう設けた下カバーとを備えた浴室装置。
【請求項２】
浴室の壁面に取り付けて使用する鏡と、前記鏡で隠蔽された前記浴室の壁面に設けた点検開口と、前記点検開口を塞ぐ点検蓋と、前記点検蓋の外周の一部または全周を囲むように前記浴室の壁面に配設した防水パッキンを備え、前記浴室の壁面と前記防水パッキンと前記鏡が互いに圧接した構成の浴室装置。
【請求項３】
鏡で隠蔽された浴室の壁面に設けた点検開口と、前記点検開口を塞ぐ点検蓋と、前記点検蓋の外周の一部または全周を囲むように前記浴室の壁面に配設した防水パッキンを備え、前記浴室の壁面と前記防水パッキンと前記鏡が互いに圧接した構成の請求項１記載の浴室装置。
【発明の詳細な説明】
【０００１】
【発明の属する技術分野】本発明は浴室装置、特に浴室の壁面に取り付ける鏡と点検開口の取り付け構成に関するものである。
【０００２】
【従来の技術】
従来、浴室装置の壁面に直接鏡を取り付ける構成の浴室装置は図７に示すように、鏡１の取り付け構成は一般に、重量物であり壊れ易く、落下すれば危険である鏡を安全に保持するため、取り付け強度を十分確保できるように金属製の取り付け部材を用いて鏡１の下部を鏡受け金具２により浴室の壁面３に保持して固定し、鏡１の上部を鏡押え金具４にて浴室の壁面３に押さえて固定して取り付ける構成としている。
【０００３】
そして、使用中に金具がずれて、鏡が金具から外れて落下しないようにして安全に使用できるように、図８に示すように、鏡受け金具２を浴室の壁面３にねじ５ａで固定し、鏡１を鏡受け金具２の受け部２ａで受けて、鏡１の下部を確実に浴室の壁面３に固定している。また、鏡１の上部は鏡押さえ金具４で押さえて、鏡押さえ金具をねじ５ｂにて確実に固定して、ねじ５ｂを緩めないと外れない構成としている。
【０００４】
そして、ねじ５ｂはキャップ６を設けて直接ねじ５ｂが見えないようにしている。また、外観でねじ止めしていることが分からないように金具内部に金具が簡単に外れないように機構を設ける構成としているものもある。
【０００５】
そして、鏡１は裏面を銀引きして鏡面を形成して、その上に、塗装等の処理を施しているが、浴室内で使用するとどうしても水がついて錆びが発生し易く特に鏡の下部には水が溜まり易いため取り付け金具を小さくして特に鏡の下部に水が溜まらない構成としている。
【０００６】
また、鏡１の下方の壁面に水栓６が設けてあり、浴室の壁面３の裏面にて水栓６と給水・給湯配管と接続している。そして接続部の水漏れの点検やメンテナンス作業が行なえるよう、鏡１の裏面部の壁面に点検開口７を設けている。
【０００７】
そして点検開口７には浴室内面側より点検蓋８を浴室の壁面３にねじ９にて固定して取り付けている。そして、点検蓋８と浴室の壁面３との間に防水パッキン１０ａが設けてあり、点検蓋８をねじ９にて締め付けて防水パッキン１０ａを圧縮して点検開口７を防水する構成としている。そして、点検蓋８を固定するねじ９部には防水パッキン１０ｂと滑りパッキン１０ｃを設けて、ねじ９を締めて防水パッキン１０ｂを圧縮してねじ９部を防水している。
【０００８】
そして水栓６の配管接続部の点検及びメンテナンスは鏡押え金具４を固定しているねじ５ｂを緩めて、鏡押え金具４を外して、鏡１を外し、点検蓋８を固定しているねじ９を緩めて点検蓋８を外して点検開口７より行なうことができる。そして鏡押さえ金具４及び、点検蓋８は、ねじにて繰返し着脱できる構成であり、点検開口７の防水はパッキン１０ａ，１０ｂ，１０ｃを設けて行なっているため、繰返し着脱しても防水性能を確保できる構成となっている。
【０００９】
【発明が解決しようとする課題】
しかしながら上記従来の浴室装置では、鏡の下部を固定するための鏡受け金具や、鏡の上部を固定する鏡押さえ金具を小さく設け、また直接露出して設けているため高級感がなく見栄えが悪くまた、金属製であるため冷たい感じがして使用上不快感があった。また固定金具の外周の仕上がりが悪いと、触ってけがをする恐れもあった。そして金具の外周の仕上がりをよくするために高価にもなっている。
【００１０】
また見栄えをよくしたり、直接金具に触れないようにするため、鏡受け金具や、鏡押さえ金具を大きくたり、カバーを用いて金具を覆うと、入浴中や、鏡や浴室を掃除するために使用した水や洗剤が、金具やカバー内に溜まって、鏡下端面に長期に渡り水や洗剤が付いた状態となり、鏡裏面が腐食されて裏面の銀鏡膜が剥がれて鏡として使用できなくなるという課題があった。
【００１１】
また、鏡裏面の壁面に設けた点検開口部を防水する点検蓋は防水パッキンを用いて防水構造を形成している。特にねじ部の防水は点検蓋に接した位置に防水パッキンを設けねじ部と防水パッキンの間にねじの滑りをよくして締め付けやすくするための滑りパッキンが必要でその分ねじの頭が点検蓋より突き出して鏡の裏面に近くになり、鏡を傷つけたり、浴室側より鏡に衝撃を加えたとき、鏡がたわんでねじの頭に当たって傷付けて、腐食を発生させたり、割れる恐れがあった。
【００１２】
また鏡とねじが当たらないように鏡との距離を多くとると浴室の壁面との隙間が大きくなり、大変見苦しくなったり、浴室の壁面より鏡部が厚く突き出して取り付くため圧迫感があり使い勝手も悪くなるという課題もあった。
【００１３】
本発明は上記従来の課題を解決するもので、鏡を確実に固定すると共に、安全に使用できまた、安価に見栄えを良くし、そして鏡下端部に水や洗剤が溜り難い構成として鏡裏面が腐食し難くして信頼性の高い使い勝手のよい浴室ユニットを提供することを目的とする。
【００１４】
【課題を解決するための手段】
前記従来の課題を解決するために、本発明の浴室装置は、浴室の壁面に取り付けて使用する鏡と前記鏡の下部を支えて前記浴室の壁面に固定する鏡受け金具と、前記鏡の上部を前記浴室の壁面に押さえて固定する鏡押さえ金具と、前記鏡の上部と前記鏡押さえ金具を覆う上カバーと、前記鏡の下部と前記鏡受け金具を覆い、下面部に排水孔を有し、前記鏡の下端面との間に空間部を形成するよう設けた下カバーとを備えたものである。
【００１５】
上記発明によれば鏡の上部と下部はそれぞれ鏡押さえ金具と鏡受け金具により確実に固定されるため安全に安心して使用できる。そして、鏡受け金具及び鏡押さえ金具はそれぞれ下カバーと上カバーで覆うため、直接金具が見えない構成のため安価に見栄えをよくすることができる。また使用者が直接金具に触れないため、けがの心配もないため安全に使用することができる。
【００１６】
そして下カバーの下面に排水孔を設けると共に、下カバーと鏡の下端面部との間に空間を設けて排水経路を形成するように下カバーを設けているため、入浴中や、鏡や浴室を掃除するために使用した水や洗剤がよく排水され、カバー内に溜まらず、鏡下端面に長期に渡り水や洗剤が付いた状態にならないため、鏡裏面が腐食されて裏面の銀鏡膜が剥がれて鏡として使用できなくなることがないため、使い勝手がよく信頼性が高く、安心して使用することができる。
【００１７】
【発明の実施の形態】
本発明の請求項１にかかる浴室装置は浴室の壁面に取り付けて使用する鏡と、鏡の下部を支えて浴室の壁面に固定する鏡受け金具と、鏡の上部を浴室の壁面に押さえて固定する鏡押さえ金具と、鏡の上部と鏡押さえ金具を覆う上カバーと、鏡の下部と鏡受け金具を覆い、下面部に排水孔を有し、鏡の下端面との間に空間部を形成するよう設けた下カバーとを備えたものである。
【００１８】
そして、上記発明によれば鏡の上部と下部は金具により確実に固定できるとともに、カバーで金具を覆うため、直接金具が見えないため見栄えがよくなる。また使用者が直接金具に触れないため、けがの心配もない。
【００１９】
そして鏡下に空間を設けて、カバー下面には排水孔を有し、排水経路を形成するため、入浴中や、鏡や浴室を掃除するために使用した水や洗剤が、カバー内に溜まって、鏡下端面に長期に渡り水や洗剤が付いた状態となることがないため鏡の裏面が腐食されて裏面の銀鏡膜が剥がれて鏡として使用できなくなることがないため、使い勝手のよい信頼性の高い浴室装置を提供することができる。
【００２０】
本発明の請求項２にかかる浴室装置は浴室の壁面に取り付けて使用する鏡と、前記鏡で隠蔽された前記浴室の壁面に設けた点検開口と、前記点検開口を塞ぐ点検蓋と、前記点検蓋の外周の一部または全周を囲むように前記浴室の壁面に配設した防水パッキンを備え、前記浴室の壁面と前記防水パッキンと前記鏡が互いに圧接した構成である。
【００２１】
そして、点検開口部に点検蓋を設け、点検蓋を囲むように防水パッキンを設けて、鏡で防水パッキンを押さえ、圧接して防水構造を形成して点検開口部を防水する構成のため、点検蓋自体及び取り付けねじ部に特別に防水構造を持たせる必要がない。
【００２２】
そして、取り付けねじ部に防水パッキンがなくて済むため、ねじ部の高さを低くでき、鏡の取り付け厚みを薄くしてもねじ頭が鏡に当たって傷つけることがないため見栄えをよくし、使い勝手もよくすることができる。また、浴室側より鏡に衝撃を加えても、点検蓋を囲むように設けた防水パッキンの反発力により、鏡がたわんでも取り付けねじの頭に鏡が接触するのを防ぐことができるため、安全で信頼性の高い浴室装置を提供することができる。
【００２３】
本発明の請求項３にかかる浴室装置は浴室の壁面に取り付けて使用する鏡と、前記鏡で隠蔽された前記浴室の壁面に設けた点検開口と、前記点検開口を塞ぐ点検蓋と、前記点検蓋の外周の一部または全周を囲むように前記浴室の壁面に配設した防水パッキンを備え、前記浴室の壁面と前記防水パッキンと前記鏡が互いに圧接した構成であり、また鏡の下部を支えて浴室の壁面に固定する鏡受け金具と、鏡の上部を浴室の壁面に押さえて固定する鏡押さえ金具と、鏡の上部と鏡押さえ金具を覆う上カバーと、鏡の下部と鏡受け金具を覆い、下面部に排水孔を有し、鏡の下端面との間に空間部を形成するよう設けた下カバーとを備えたものである。
【００２４】
そして、点検蓋を囲むように防水パッキンを設けて、防水構造を形成して点検開口部を防水する構成のため、点検蓋自体及び取り付けねじ部に特別に防水構造を持たせる必要がない。
【００２５】
しかも鏡の上部と下部は金具により確実に固定できるとともに、カバーで金具を覆い、カバー下面には排水孔を有し、排水経路を形成するため、鏡の安全性、見栄えもよく、鏡裏面の腐食を防止することができる。
【００２６】
よって、見栄えがよく、安全で信頼性の高い浴室装置を安価に提供することができる。
【００２７】
【実施例】
以下、本発明の実施例について図１〜図４を参照しながら説明する。
【００２８】
（実施例１）
図１は本発明の実施例１の浴室装置を示す斜視図、図２は同浴室装置の部分断面図である。図３は同浴室装置の鏡上部取付け部の要部を示す斜視図であり、図４は同浴室装置の鏡下部取付け部の要部を示す斜視図である。
【００２９】
図１に示すように鏡１１は浴室の壁面１２に取り付けられ、鏡１１の下部及び上部には、それぞれ下カバー１３及び、上カバー１４が取り付けられている。そして図２〜図４に示すように鏡受け金具１５は下カバー１３に覆われてねじ１６ａにより、浴室の壁面１２に固定されている。
【００３０】
そして鏡１１の下部は鏡受け金具１５の鏡受け部１５ａにより支えられて取り付けられている。また鏡受け金具１５は下カバ１３に設けたリブ１８上に当接しているため鏡１１の下端面部と下カバー１３との間に空間部１９ａが形成されている。また下カバー１３の下面には排水孔２０を設けて排水経路を形成している。鏡１１の上部は鏡押さえ金具２１により保持され、また、ねじ１６ｂにより鏡押え金具２１は浴室の壁面１２に固定されている。
【００３１】
そして鏡押え金具２１の上部にはめ込み部２１ａが設けてあり、上カバー１４を嵌め込んで鏡押さえ金具２１を覆うように取り付ける構成としている。また鏡１１の上端面部と上カバー１４間には空間部１９ｂが形成されて設けている。また鏡１１と壁面１２の間にスペーサー２２を設けて鏡のがたつきをおさえている。
【００３２】
次に動作、作用について説明すると、鏡１１の下部と上部はそれぞれ鏡受け金具１５と鏡押さえ金具２１により保持されてねじ１６ａ，１６ｂにより壁面に取り付けているため長期に渡り重量物の鏡１１を保持しても十分の強度と信頼性が確保できる。そして、ねじ１６ａ，１６ｂを緩めたり、外したりしない限り鏡受け金具１５と鏡押さえ金具２１がずれないため鏡１１が脱落することがなく、非常に安全に使用できる。
【００３３】
また鏡受け金具１５と鏡押さえ金具２１はそれぞれ下カバー１３と上カバー１４により覆われているため見栄えがよく金具が露出してないため、けがの心配もなく安全に使用できる。またカバーを樹脂材料で形成すれば安価に簡単に色々な色に彩色したり、形状も比較的自由に成形できるため、見栄えをよくしたり、暖か味を出したりでき、外周部も滑らかに成形できるため安全に使用できる。
【００３４】
そして長期に渡る使用でカバーが劣化しても、鏡は金具により固定しているので外れることなく安全に使用できる。そして鏡１１の下端部には空間１９ａを設けて、下カバー１３の下面には排水孔２０を有して、排水経路を形成するため、入浴中や、鏡や浴室を掃除するために使用した水や洗剤が、カバー内に溜まって、鏡下端面に長期に渡り水や洗剤が付いた状態となることがないため鏡１１の裏面が腐食されて裏面の銀鏡膜が剥がれて鏡として使用できなくなることがないため、信頼性の高い使い勝手のよい浴室装置を提供することができる。
【００３５】
また、鏡１１の上部にも空間１９ｂを設けているので上部にも水が溜りにくく付着した水も早く乾燥するため鏡１１が腐食されにくい構成となっている。
【００３６】
（実施例２）
図５は本発明の実施例２の要部を示す斜視図、図６は要部を示す断面図である。図５〜６において浴室の壁面１２の鏡１１に隠蔽される部分に点検開口２２を設けて鏡１１の下方に設けた水栓２３と給水・給湯用配管２４との接続部２５の点検やメンテナンスができるようになっている。
【００３７】
また点検開口２２は浴室側よりねじ２７を介して壁面１２に固定された点検蓋２６で閉塞されている。そして、点検蓋２６の周囲の浴室の壁面１２に防水パッキン２８を設けて鏡１１にて押さえて圧縮している。本実施例では点検蓋２６の上方の防水パッキン２８は山形に設けて鏡裏面に流れて来た水を流れ易くして水が溜り難くしている。
【００３８】
なお、実施例１と同一符号のものは同一構造を有し説明は省略する。
【００３９】
次に動作、作用を説明すると、点検開口２２には点検蓋２６が設けてあり、点検蓋２６の周囲には防水パッキン２８を設け、鏡１１の裏面と圧接する構成として、点検開口部２２の防水処理を行なっている。
【００４０】
このため、点検蓋２６自体に防水構造を設けたり、点検蓋２６の取り付けねじ２７部の防水処理も防止パッキンを設けて特別に行う必要がないため、安価に防水処理ができるとともに、ねじ２７を取り付けたときのねじ頭の高さ位置を低くできるため、鏡の取り付け厚みを薄くしても鏡の裏面にねじ頭が当ることがなくまた、鏡の取り付け厚みを薄くできるため、見栄えがよく、使用中の圧迫感もないため使い勝手もよくなる。
【００４１】
また、点検蓋２６の周囲に防水パッキン２８を設けているため。鏡１１の表面を押したり、衝撃を加えても防水パッキン２８により鏡１１が撓まないため、点検蓋２６の取り付けねじ２７のねじ頭が鏡の裏面に触れたり、傷つけたりすることがなく安全で見栄えのよい浴室装置を提供できる。
【００４２】
また、本実施例では点検蓋２６の三方を防水パッキン２８で囲んだ実施例を示したが全周を囲んでも同様あるいはそれ以上の作用効果が得られる。そして上部の防水パッキンが山形に設けていくため鏡の裏面に流れ来た水や洗剤が流れ易いため長期に渡って防水パッキンの上部に水が溜まらないため、鏡裏面を腐食して使用できなくなることもない。
【００４３】
【発明の効果】
以上説明したように本発明の浴室装置は浴室の壁面に取り付けて使用する鏡と前記鏡の下部を支えて前記浴室の壁面に固定する鏡受け金具と、前記鏡の上部を前記浴室の壁面に押さえて固定する鏡押さえ金具と、前記鏡の上部と前記鏡押さえ金具を覆う上カバーと、前記鏡の下部と前記鏡受け金具を覆い、下面部に排水孔を有し、前記鏡の下端面との間に空間部を形成するよう設けた下カバーとを備えた構成としているので、長期に渡る使用でカバーが劣化しても、鏡は金具により固定しているので外れることなく安全に使用できる。
【００４４】
そして鏡下に空間を設けて、カバー下面には排水孔を有し、排水経路を形成するため、入浴中や鏡や浴室を掃除するために使用した水や洗剤が、カバー内に溜まって、鏡下端面に長期に渡り水や洗剤が付いた状態となることがないため裏面が腐食されて裏面の銀鏡膜が剥がれて鏡として使用できなくなることはない。
【００４５】
よって安全で、見栄えがよく、信頼性が高く、使い勝手のよい浴室装置を安価で提供することができるという効果がある。
【図面の簡単な説明】
【図１】本発明の実施例１における浴室装置の斜視図
【図２】同浴室装置の鏡部の断面図
【図３】同浴室装置の鏡下部の要部斜視図
【図４】同浴室装置の鏡上部の要部斜視図
【図５】本発明の実施例２における浴室装置の鏡下部の要部斜視図
【図６】同浴室装置の鏡部の断面図
【図７】従来の浴室装置の斜視図
【図８】同浴室装置の鏡部の断面図
【符号の説明】
１、１１　鏡
２、１５　鏡受け金具
４、２１　鏡押さえ金具
３、１２　浴室の壁面
１３　下カバー
１４　上カバー
１９ａ、１９ｂ　空間部
２０　排水孔
２２　点検開口
２６　点検蓋
２８　防水パッキン
【図１】
2004041287.tif 000003
【図２】
2004041287.tif 000004
【図３】
2004041287.tif 000005
【図４】
2004041287.tif 000006
【図５】
2004041287.tif 000007
【図６】
2004041287.tif 000008
【図７】
2004041287.tif 000009
【図８】
2004041287.tif 000010